(57)【要約】      （修正有）【課題】車両が車線を変更し、又は方向転換しているときに、車両のサイドに視覚信号が発生され、且つヘッドライトが点灯されているときに車両のサイドにも点灯され、車両のサイドに会社商標や名称などを表示することができるサイドプロテクターを提供する。【解決手段】サイドプロテクター１は、弾性を有する軟性パッドである本体１０を含み、前記本体１０の一面には、第一発光装置１１と、第二発光装置１２と、第三発光装置と、が設けられており、前記第一発光装置１１は車両のインジケータの信号ケーブルと電気的に並列接続しており、前記第二発光装置１２は車両のヘッドライトの信号ケーブルと電気的に並列接続しており、前記第三発光装置により情報又は模様が形成されることを特徴とするものである。【選択図】図１
0003145892.tif 000002
【実用新案登録請求の範囲】
【請求項１】
弾性を有する軟性パッドである本体を含むサイドプロテクターであって、前記本体の一面には、第一発光装置と、第二発光装置と、第三発光装置と、が設けられており、前記第一発光装置は車両のインジケータの信号ケーブルと電気的に並列接続しており、前記第二発光装置は車両のヘッドライトの信号ケーブルと電気的に並列接続しており、前記第三発光装置により情報又は模様が形成されることを特徴とする、サイドプロテクター。
【請求項２】
更に、透明カバーを含み、前記本体の一面には、更に、溝が設けられており、前記溝内には、第一発光装置と、第二発光装置と、第三発光装置と、が配設されており、前記透明カバーが前記溝の全部をカバーしており、前記第一発光装置及び第二発光装置はそれぞれ少なくとも一つの発光ダイオードを有し、なお、前記第三発光装置はエレクトロルミネッセンスであることを特徴とする、請求項１に記載のサイドプロテクター。
【請求項３】
更に、透光部と、不透光部と、を有する遮断板を含み、前記透光部により情報又は模様が形成され、且つ前記遮断板は前記第三発光装置と前記透明カバーの間に設けられていることを特徴とする、請求項２に記載のサイドプロテクター。
【考案の詳細な説明】
【技術分野】
【０００１】
本考案は、サイドプロテクターに関するものである。
【背景技術】
【０００２】
車両は車線を変更し、又は方向転換しているときに、別の車両と衝突する危険性があり、なお、別の車両と衝突した場合、車両の鋼板に付けられた塗装が剥がれるようになる可能性がある。別の車両と衝突することの原因は、車両が車線を変更し、又は方向転換しているときの表示が不十分であり、別の車両の運転者はその状況を対応できないことにある。一方、夜間に運転しているときに、車両は、前後だけにインジケータが付けられており、サイドにはインジケータが付けられていない。そして、従来のサイドプロテクターの変化性が不足であるので、消費者の要求に満足することができなくなるという問題があった。
【考案の開示】
【考案が解決しようとする課題】
【０００３】
本考案の主な目的は、車両が車線を変更し、又は方向転換しているときに、第一発光装置によりサイドに視覚信号が発生され、且つヘッドライトが点灯されているときに第二発光装置も点灯され、そして第三発光装置により、他人に知らせたい情報、会社商標や名称などが表示されるサイドプロテクターを提供することにある。
【課題を解決するための手段】
【０００４】
本考案の請求項１に記載のサイドプロテクターによると、弾性を有する軟性パッドである本体を含み、前記本体の一面には、第一発光装置と、第二発光装置と、第三発光装置と、が設けられており、前記第一発光装置は車両のインジケータの信号ケーブルと電気的に並列接続しており、前記第二発光装置は車両のヘッドライトの信号ケーブルと電気的に並列接続しており、前記第三発光装置により情報又は模様が形成されることを特徴とするサイドプロテクターである。
【０００５】
本考案の請求項２に記載のサイドプロテクターによると、更に、透明カバーを含み、前記本体の一面には、更に、溝が設けられており、前記溝内には、第一発光装置と、第二発光装置と、第三発光装置と、が配設されており、前記透明カバーが前記溝の全部をカバーしており、前記第一発光装置及び第二発光装置はそれぞれ少なくとも一つの発光ダイオードを有し、なお、前記第三発光装置はエレクトロルミネッセンス（Electroluminescence）である。
【０００６】
本考案の請求項３に記載のサイドプロテクターによると、更に、透光部と、不透光部と、を有する遮断板を含み、前記透光部により情報又は模様が形成され、且つ前記遮断板が前記第三発光装置と前記透明カバーの間に設けられている。
【考案の効果】
【０００７】
本考案のサイドプロテクターによれば、次のような効果がある。
（１）本考案に係る本体は、弾性を有する軟性パッドであるので、車体の外面を保護することができ、且つ別の車両と衝突しているときの外力の一部を吸収することができるので、車体の外面にある塗装を保護することができる。
【０００８】
（２）本考案に係るサイドプロテクターが取り付けられた車両は、夜間に運転しているときに、車両のサイドに視覚信号が発生されるので、サイドからの車両は本考案に係るサイドプロテクターが取り付けられた車両の存在を容易に知ることができる。
【０００９】
（３）本考案に係るサイドプロテクターが取り付けられた車両は、方向転換しているときにインジケータを点滅している際には、サイドプロテクターに設けられた第一発光装置によりサイドに視覚信号が発生され、車両の両側にいる歩行者は車両が方向転換したい状況を容易に知ることができる。
【００１０】
（４）本考案に係るサイドプロテクターに設けられた第三発光装置により、他人に知らせたい情報、会社商標や名称などを表示することができ、従来の車体に印刷し、又は貼り付ける方式よりも、他人の注目を集める効果が高い。
【００１１】
（５）本考案に係るサイドプロテクターは、インジケータの点滅に応じて、視覚信号を発生すると共に、車両の形状に合う形状にすることができるので、変化性が極めて高い。
【考案を実施するための最良の形態】
【００１２】
以下、本考案の実施の形態を図面に基づいて説明する。
【実施例１】
【００１３】
まず、図１及び図２を参照する。本考案に係るサイドプロテクター１は、本体１０と、透明カバー２０と、遮断板３０と、を含む。本体１０は、弾性を有する軟性パッドであり、且つその一面に溝１５が形成されており、溝１５には、第一発光装置１１と、第二発光装置１２と、第三発光装置１３と、が設けられている。本実施例では、前記第一発光装置１１及び第二発光装置１２はそれぞれ三つの発光ダイオードを有し、なお、前記第三発光装置１３はエレクトロルミネッセンス（Electroluminescence）である。
【００１４】
また、前記透明カバー２０が前記溝１５の全部をカバーしており、且つ前記遮断板３０が前記第三発光装置１３と前記透明カバー２０の間に設けられている。前記遮断板３０は、透光部と、不透光部と、を有し、前記透光部と前記第三発光装置１３の組合せにより、他人に知らせたい情報、会社商標や名称などを表示することができる。また、前記遮断板３０を組付けなく、前記透明カバー２０の前記第三発光装置１３に対応する箇所に、他人に知らせたい情報、会社商標や名称などを印刷してもよい。
【００１５】
次に、図３Ａ及び図３Ｂを参照する。図３Ａは本考案の実施例１に係るサイドプロテクターの第一の実施の態様であり、図３Ｂは本考案の実施例１に係るサイドプロテクターの第二の実施の態様である。本実施例では、サイドプロテクター１が車両の側面に組み付けられている。前記第一発光装置１１は車両のインジケータの信号ケーブルと電気的に並列接続しており、前記第二発光装置１２は車両のヘッドライトの信号ケーブルと電気的に並列接続しており、なお、前記第三発光装置１３は、車両のヘッドライトの信号ケーブルと電気的に並列接続してもいいし、車両のメーン電源と電気的に連接してもよい。
【００１６】
図３Ａに示すように、前記第二発光装置１２及び第三発光装置１３が車両のヘッドライトの信号ケーブルと電気的に並列接続しているので、車両のヘッドライトを点灯しているときには、前記第二発光装置１２及び第三発光装置１３も点灯される。また、図３Ｂに示すように、前記第一発光装置１１は車両のインジケータの信号ケーブルと電気的に並列接続しているので、車両のインジケータを点滅しているときには、前記第一発光装置１１も点滅されるようになる。
【実施例２】
【００１７】
また、図４を参照する。図４は本考案の実施例２に係るサイドプロテクターの概略図である。本実施例に係るサイドプロテクター１´は、実施例１に係るサイドプロテクター１とほぼ同じであるが、その相違する点は、サイドプロテクター１´の本体が円弧形状を呈し、車両の車輪の上方に位置する車体外面に取り付けることができる。
【００１８】
次に、図５Ａ及び図５Ｂを参照する。図５Ａは本考案の実施例２に係るサイドプロテクターの第一の実施の態様であり、図５Ｂは本考案の実施例２に係るサイドプロテクターの第二の実施の態様である。図５Ａに示すように、第二発光装置１２及び第三発光装置１３が車両のヘッドライトの信号ケーブルと電気的に並列接続しているので、車両のヘッドライトを点灯しているときには、前記第二発光装置１２及び第三発光装置１３も点灯される。
【００１９】
また、図５Ｂに示すように、前記第一発光装置１１は車両のインジケータの信号ケーブルと電気的に並列接続しているので、車両のインジケータを点滅しているときには、前記第一発光装置１１も点滅されるようになる。
【００２０】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２１】
【図１】本考案の実施例１に係るサイドプロテクターの概略図
【図２】本考案の実施例１に係るサイドプロテクターの分解斜視図
【図３Ａ】本考案の実施例１に係るサイドプロテクターの第一の実施の態様の説明図
【図３Ｂ】本考案の実施例１に係るサイドプロテクターの第二の実施の態様の説明図
【図４】本考案の実施例２に係るサイドプロテクターの概略図
【図５Ａ】本考案の実施例２に係るサイドプロテクターの第一の実施の態様の説明図
【図５Ｂ】本考案の実施例２に係るサイドプロテクターの第二の実施の態様の説明図
【符号の説明】
【００２２】
１      サイドプロテクター
１´    サイドプロテクター
１０    本体
１０´  本体
１１    第一発光装置
１２    第二発光装置
１３    第三発光装置
１５    溝
２０    透明カバー
３０    遮断板
【図１】
0003145892.tif 000003
【図２】
0003145892.tif 000004
【図３Ａ】
0003145892.tif 000005
【図３Ｂ】
0003145892.tif 000006
【図４】
0003145892.tif 000007
【図５Ａ】
0003145892.tif 000008
【図５Ｂ】
0003145892.tif 000009